(57)【要約】      （修正有）【課題】蓋を開封しやすく、コンパクトな容器蓋の開封具を提供する。【解決手段】蓋を押し切り開封するための複数の切刃３２と、該複数の切刃を設置するための台座３１とを備えた蓋開封具１において、該複数の切刃が、突き出し高さ位置が２種類以上異なる切刃３２ａ，３２ｂからなることを特徴としている。こうすることで、蓋を押し切り開封するための複数の切刃の突き出し高さ位置が２種類以上異なっているため、蓋を押し切る際に蓋に最初に接触する切刃の枚数は切刃全枚数より少なくなっているため、切刃１枚に加えられる力は切刃が全て同時に蓋に接触する場合に比べ増加するので、蓋体を押し切りやすい開封具となる。【選択図】図１
2011195143.tif 000002
【特許請求の範囲】
【請求項１】
蓋を押し切り開封するための複数の切刃と、該複数の切刃を設置するための台座とを備えた蓋開封具において、  該複数の切刃が、突き出し高さ位置が２種類以上異なる切刃からなることを特徴とする、蓋開封具。
【請求項２】
前記突き出し高さ位置が２種類以上異なる切刃のうち、最も突出している突き出し高さ位置の切刃が３枚以上備わっていることを特徴とする、請求項１に記載の蓋開封具。
【請求項３】
前記突き出し高さ位置が２種類以上異なる切刃のうち、最も突出している突き出し高さ位置の切刃の枚数が５枚以下であることを特徴とする、請求項２に記載の蓋開封具。
【請求項４】
前記突き出し高さ位置が２種類以上異なる切刃の、最も突出している突き出し高さ位置と次に突出している突き出し高さ位置との高さ位置の距離の差が０．５ｍｍ以上３ｍｍ以下であることを特徴とする、請求項１〜３のいずれか１項に記載の蓋開封具。
【請求項５】
前記突き出し高さ位置が２種類以上異なる切刃の、最も突出している突き出し高さ位置と次に突出している突き出し高さ位置との高さ位置の距離の差が３ｍｍを超えていることを特徴とする、請求項１〜３のいずれか１項に記載の蓋開封具。
【発明の詳細な説明】
【技術分野】
【０００１】
この発明は蓋を簡易に切り開き開封するための開封具に関するものであり、より詳しくはフィルム部を有する缶蓋によって密封されている缶のフィルム部を簡易に切り開き開封するための開封具に関するものである。
【背景技術】
【０００２】
飲食物等の内容物を充填し保存する容器として缶が使用されている。これらの缶は内容物を収容する缶胴とその缶胴の上端開口部を閉じる缶蓋とからなっていて、缶蓋は通常その外周縁部で缶胴の上端に巻き締め固定されている。  
【０００３】
缶蓋は缶胴と同様に金属板製であることが多いが、缶蓋の一部分に金属箔やプラスチックのラミネートフィルムなどの膜体を使用する場合がある。  
【０００４】
本件特許出願の出願人は先にフィルム缶蓋とその開封具を提案した（特許文献１，２）。この提案されたフィルム缶蓋は、中央部寄りに開口部を有し外周縁部に巻き締め部を有するめがね蓋とそのめがね蓋の中央開口部を気密に閉じる膜体からなる膜蓋とから成るものである。  
【０００５】
また、このフィルム缶蓋の開封具は、短い筒状体である台座の下端に切刃を複数備えたものである。開封操作としては、まず、フィルム缶蓋の膜蓋に開封具の切刃をあて、台座の上端部を手で上から押し込むことによって１次開封し、１次開封で切れ残った部分については、台座を手で回転させ切刃で切り落とす２次開封を行い、膜蓋を切除する。  
【０００６】
【特許文献１】特開２００４−１６８３１８
【特許文献２】特開２００６−０２７７３２
【特許文献３】特開平０６−２９８２９５
【発明の開示】
【発明が解決しようとする課題】
【０００７】
特許文献２に開示されているような開封具の場合、切刃が例えば３個、広い間隔を空けて備えられている場合、２次開封で台座を回転させる量が多くなり面倒となる。そこで切刃を増やし、例えば台座に６個設け切刃間の間隔を狭くすると、今度は１次開封時に、個々の切刃に加えられる力が６箇所に分散することによって弱くなり、押し切りにくくなる。また、例えば３個の個々を大きくすることによって切刃間の間隔を狭くすると、押し切りに最適な切刃傾斜角を保ったまま大きくする場合、例えば特許文献３のように個々の切刃が高く大きくすぎて開封具が大きくなり、扱いにくいものになる。  
【０００８】
本発明は上記の如き事情に鑑みてなされたものであって、１次開封や２次開封が容易に行え、かつ、コンパクトな開封具を提供することを目的とするものである。
【課題を解決するための手段】
【０００９】
この目的に対し、本発明のフィルム蓋開封具は、蓋を押し切り開封するための複数の切刃と、該複数の切刃を設置するための台座とを備えた蓋開封具において、該複数の切刃が、突き出し高さ位置が２種類以上異なる切刃からなることを特徴としている。
【発明の効果】
【００１０】
本発明の蓋開封具では、蓋を押し切り開封するための複数の切刃の突き出し高さ位置が２種類以上異なっているため、蓋を押し切る際に蓋に最初に接触する切刃の枚数は切刃全枚数より少なくなっているため、切刃１枚に加えられる力は切刃が全て同時に蓋に接触する場合に比べ増加するので、蓋体を押し切りやすい開封具となる。
【発明を実施するための最良の形態】
【００１１】
以下、本発明の詳細の一実施態様を示す図面について説明する。図１において蓋開封具１が本発明の一実施形態であり、図２の容器２の蓋体４を開封するための治具である。容器２は本実施形態においては缶であって、缶胴３の上端に蓋体４を巻締部５において二重巻き締めにより固着したものである。  蓋体４は、外周部分のめがね蓋６と中央部分の膜体７とからなっている。（図２（ａ）参照）
【００１２】
めがね蓋６の中央に円形の開口１１が設けられ、その周縁にカール部８が設けられている。膜体７はめがね蓋６の開口部を閉口するように内面側からめがね蓋６に接着されている。膜体７はプラスチックフィルムの単層，多層，アルミ箔単層，アルミ箔とプラスチックフィルムの多層など、用途等に合わせて厚みも含め適宜選択可能である。本実施形態では膜体７が蓋開封具１による開封の対象である。
【００１３】
開封具１には本実施形態では短い円筒状の台座３１の端部（図１（ｂ）においては下端）に円状に配置された切刃３２が８枚下方に突出して設けられている。そして切刃３２と台座３１との間には段部３９が設けられている。切刃３２の形状は三角形状であり、また、先端は、好ましくは図のように取り扱い時の怪我防止のため過度に鋭利にならないよう若干丸められている。  また、８枚の切刃３２は本実施形態においては互いの両隣を詰めて配置されている。
【００１４】
そして、本実施形態の切刃３２は、突き出し高さ位置が最も突出している（；図１においては切刃３２の先端が最も下方に突き出している）４枚の切刃３２ａと、切刃３２ａの突き出し高さ位置よりも台座３１側にまで突出している（；図１では、切刃３２ａの先端よりも上方寄りにまで切刃の先端が突出している）４枚の切刃３２ｂとの２種類が、互い違いに配置されている。
【００１５】
また、台座３１の切刃３２側と反対側の端部側（図１（ｂ）においては上方側）にはフランジ３５が設けられている。
【００１６】
蓋開封具１はプラスチック材料、例えばポリプロピレンを射出成形することによって製造する可能である。しかし、開封する蓋体４（本実施形態では膜体７）の硬さによっては、材料を適宜変更するのが望ましい。例えば、切刃３２のみを金属材料で取り付けられる構成にしてもよいし、あるいは蓋開封具全体を金属材料で例えば鋳物から削りだして製造してもよい。
【００１７】
このように構成された蓋開封具１を用いて蓋体４を開封する場合は、まず、開封具１を切刃３２が下向きになるよう蓋体４の上に載せる（図２（ｂ））。なお、切刃３２ａは３枚以上備わっていれば３点支持により蓋体４の上に安定して載置可能である。
【００１８】
この状態では切刃３２のうち、４枚の切刃３２ａの先端だけがめがね蓋６の内周縁（カール部８の内周縁）との境で膜体７の外周縁に当接している。この状態から台座３１を上から押し下げると、切刃３２のうち、まず、４枚の切刃３２ａの先端から膜体７に力が加えられ、切刃３２ａが膜体７を突き破り始める。
【００１９】
このとき、本発明の蓋開封具１は、従来の開封具ように切刃の突き出し高さ位置が全て（本実施形態で対比すると８枚）同じ場合に比べ、４枚の切刃３２ａ各々に加わる力は大きくなるので、膜体７を突き破りやすくなる。なお、切刃３２ａは５枚以下であれば、１枚の切刃に加わる力が分散されすぎることがないので、より好ましい。
【００２０】
切刃３２ａは膜体７を一旦突き破ると、突き破るときよりも少ない押し下げ力で膜体７を切り開くことができる。この状態で４枚の切刃３２ｂが膜体７に接触するまで蓋開封具１は押し下がる。
【００２１】
切刃３２ｂが膜体７に接触すると（図２（ｃ））、切刃３２ｂが膜体７を突き破るため一旦蓋開封具１を押し下げる力が増加する。しかし、切刃３２ａはすでに膜体を突き破り、個々に比較的少ない力で膜体７を切り開いているところなので、従来のように全ての切刃（本実施形態に合わせて対比すると８枚の切刃）に同時に突き破るための力を加える必要がある場合に比べ、少ない押し下げ力で４枚の切刃３２ｂを膜体７に突き破らせることが可能となる。
【００２２】
切刃３２ｂも膜体７を突き破ると、後は開封具の押し下げ操作によって切刃３２ａと切刃３２ｂは膜体７を切り開き、蓋開封具１の段部３９が蓋体４のカール部８に当接するまで押し下げ可能である。（図２（ｄ）。ここまでの操作をもって、従来の１次開封にあたる操作が終了する。）
【００２３】
段部３９がカール部８に当接すると、切刃３２ａ，３２ｂの付け根位置（根元）は膜体７の位置より、カール部８の分だけ上方に位置するので、膜体７は完全には切り開かれてはおらず、所々（本実施形態では８箇所）、部分的にわずかに切れ残りがあって繋がった状態である。
【００２４】
この状態のとき、蓋開封具１をめがね蓋６に対し、開口１１の円形中心を軸にわずかに回転させることで膜体７を全周切り開き、めがね蓋６から分離することができる。（１次開封終了からここまでの操作をもって、従来の２次開封にあたる操作が終了する。）その際、フランジ３５があるため、そこに手指を添えると回転操作しやすくなる。
【００２５】
なお、切刃３２ａと切刃３２ｂとの突き出し高さ位置の距離の差ｄは０．５ｍｍ以上に設定するのが好ましいが、蓋体４（膜体７）の開封のしやすさ、目的などにより、適宜設定可能である。
【００２６】
例えば、切刃３２ａによる膜体７の突き破りから切刃３２ｂによる膜体７の突き破りにかけて、なるべく不連続な操作で行わないようにするには、突き出し高さ位置の距離の差ｄを小さく設定するのが好ましく、０．５ｍｍ以上３ｍｍ以下が好ましい。
【００２７】
また、特許文献１，２のように陽圧容器の蓋を開封する際に用いる場合は、切刃３２で膜体７を段部３９がカール部８に当接まで突き破り切り開く前に一旦、蓋開封具１の押し下げ操作（１次開封）を休止し、切刃と突き破られた膜体との間から陽圧容器内のガス抜きを行うのが好ましいが、突き出し高さ位置の距離の差ｄを大きくとると、蓋開封具１の押し下げ操作（１次開封）が不連続になるため、切刃３２ａが蓋体４（膜体７）を突き破ってから切り開いている間で、切刃３２ｂが蓋体４（膜体７）に接触する前に使用者の押し下げ操作のための手に入れる力が緩められるので、切刃３２ｂが蓋体４（膜体７）に接触したときに、切刃３２ｂが蓋体４（膜体７）によって止められ、その間にガス抜きが出来るので好ましい。その際は突き出し高さ位置の距離の差ｄを３ｍｍを越すように設定するのが好ましく、３ｍｍ超え７ｍｍ以下に設定すると、切刃３２ａの蓋体４（膜体７）の切開き量が大きくなりすぎガスが一度に大量に吹き出す前に押し下げ操作を止めることが出来るので好ましい。
【００２８】
以上、本発明の１実施形態について説明したが、本発明はその思想の範囲内で種々の変更が可能である。  例えば、本発明では端部が同一高さの台座３１に刃の高さの異なる２種の切刃３２ａ，３２ｂを４枚ずつ備えたが、図３（ａ）のように端部が異なる高さの台座に刃の高さの等しい切刃を備えることで、切刃の突き出し高さ位置が異なるようにしてもよいし、図３（ｂ）のように、同じ切刃を高さ位置が異なるように配列させ連結させ連結部分を台座部とみたて、また、段部３９，フランジ３５も適宜省略してもよい。また切刃形状も特許文献２に記載されているような形状に変更してもよいし、隣り合う切刃どうしの間隔も、２次開封の際、不便と感じない範囲で適宜離してもよい。また図３（ｃ）のように柔軟な材料の台座に切刃を取付け蓋体を開口したい形状に、曲げて使用してもよい。また、突き出し高さ位置が等しい切刃の枚数は、切刃３２ｂなど、最も突出している突き出し高さ位置の切刃以外の切刃については特に制限はないが、突き出し高さ位置の距離の差ｄを３ｍｍを越すような場合は３枚以上あれば切刃３２ａ同様、安定して蓋体４（膜体７）に着座できるので好ましい。また、切刃全部の枚数も、特に制限なく、突き出し高さ位置も３種以上異なるように構成してもよい。  また、容器，蓋体も上実施形態に限らず、実開平０１−０９６８３２のように膜体（フィルム）をヒートシール（溶着）したカップに適用してもよいし、特開平０９−２５５０９１のように蓋体としても通常の金属缶蓋を適用し、それを開封するための蓋開封具であってもよい。
【図面の簡単な説明】
【００２９】
【図１】蓋開封具を示す図で、（ａ）は平面図、（ｂ）は正面図、（ｃ）は縦断面図（図１（ａ）におけるＡ−Ａ断面図）、（ｄ）は底面図（下面図）である。
【図２】蓋開封具を容器に使用する状態を示す図で、（ａ）は切刃を突き刺す前の縦断面図、（ｂ）は最も突出している突き出し高さ位置の切刃が膜体に着座したときの縦断面図、（ｃ）は最も突出している突き出し高さ位置の切刃は膜体を突き刺し切り開き始め、次の突き出し高さ位置の切刃が着座したときの縦断面図、（ｄ）次の突き出し高さ位置の切刃も膜体を突き刺し切り開き台座がカール部に段部で着座したときの縦断面図と容器内側から見た下面図。
【図３】蓋開封具の別形態を示す斜視図。
【符号の説明】
【００３０】
１        蓋開封具  ２        容器（缶）  ３        缶胴  ４        蓋体  ５        巻締部  ６        めがね蓋  ７        膜体  ８        カール部  １１      開口  ３１      台座  ３２，３２ａ，３２ｂ      切刃  ３５      フランジ  ３９      段部
【図１】
2011195143.tif 000003
【図２】
2011195143.tif 000004
【図３】
2011195143.tif 000005